(57)【要約】      （修正有）【課題】本発明は、第１の区画と、第２の区画と、第１の区画と第２の区画の間に設けられた計量部とを備えた、保管、計量および調合用の複合装置に関する。【解決手段】計量部４は、第１の区画２に隣接する並進移動が可能なスライダ１０と、第２の区画３に隣接する旋回可能なフラップ１１と、スライダ１０とフラップ１１の間に設けられた計量空間Ｃとを備えている。フラップ１１は、第２の区画３の第２の容器空間Ｂに向かってのみ開かれ、計量空間Ｃに進入しないことを特徴とする。【選択図】図１
2018135137.tif 000002
【特許請求の範囲】
【請求項１】
第１の容器空間（Ａ）を有する第１の区画（２）と、
第２の容器空間（Ｂ）を有する第２の区画（３）と、
前記第１の区画（２）と前記第２の区画（３）の間に設けられた計量部（４）と、を備える保管、計量および調合用複合装置（１）であって、
前記計量部（４）は、
−  前記第１の区画（２）に隣接する並進移動が可能なスライダ（１０、１０ａ）と、
−  前記第２の区画（３）に隣接する旋回可能なフラップ（１１）と、
−  前記スライダ（１０、１０ａ）と前記フラップ（１１）の間に設けられた計量空間（Ｃ）と、を備えることを特徴とする、装置（１）。
【請求項２】
前記フラップ（１１）は、前記第２の区画（３）の前記第２の容器空間（Ｂ）に向かってのみ開かれ、前記計量空間（Ｃ）に進入しないことを特徴とする、請求項１に記載の装置。
【請求項３】
作動手段（１４）が、前記スライダ（１０、１０ａ）と前記フラップ（１１）とに機械的に結合されることを特徴とする、請求項１または２に記載の装置（１）。
【請求項４】
前記作動手段（１４）は、第１の状態において前記フラップ（１１）が閉じている間に前記スライダ（１０、１０ａ）を開くために、および第２の状態において前記スライダ（１０、１０ａ）が閉じている間に前記フラップ（１１）を開くために組み込まれることを特徴とする、請求項１乃至３のいずれか１項に記載の装置（１）。
【請求項５】
前記作動手段（１４）は、第３の状態において前記スライダ（１０、１０ａ）および前記フラップ（１１）を閉じた状態に保持するために組み込まれることを特徴とする、請求項４に記載の装置（１）。
【請求項６】
ロック（１８）が、前記第１の状態または前記第３の状態において、前記作動手段（１４）の作動を防止または保持することを特徴とする、請求項１乃至５のいずれか１項に記載の装置（１）。
【請求項７】
前記作動手段（１４）は、押ボタン（１６）または始動レバーを備えることを特徴とする、請求項１乃至６のいずれか１項に記載の装置（１）。
【請求項８】
打撃レバー（２１）が、前記作動手段（１４）に機械的に結合され、前記打撃レバー（２１）は、前記作動手段（１４）が始動されると突起部（２０）または立ち上げ部の上を移動し、前記突起部（２０）または前記立ち上げ部を通過しながら前記装置（１）の壁部に打撃を与えて、解放されることを特徴とする、請求項１乃至７のいずれか１項に記載の装置（１）。
【請求項９】
スクラッチャ（２２）が、前記スライダ（１０ａ）の一部であり、または前記スライダに接続されており、前記スクラッチャ（２２）は、前記第１の容器空間（Ａ）内に突出することを特徴とする、請求項１乃至８のいずれか１項に記載の装置（１）。
【請求項１０】
前記スクラッチャ（２２）は、前記第１の容器空間（Ａ）に突出するスクラッチ位置と、前記スライダ（１０ａ）のベース本体（２３）の面上にあるアイドリング位置との間で移動するようになされることを特徴とする、請求項９に記載の装置（１）。
【請求項１１】
前記フラップ（１１）は、前記第１の区画（２）が前記第２の区画（２）の上にくるようになされた前記装置（１）の直立位置のときのみ開かれ、前記第１の区画（１）が前記第２の区画（２）の下にくるように前記装置（１）が上下逆さまの位置になされたときには、前記作動手段（１４）が始動された場合であっても、閉じられた状態が保持されることを特徴とする、請求項１乃至１０のいずれか１項に記載の装置（１）。
【請求項１２】
前記作動手段（１４）は、前記フラップ（１１）と協働する凹部（１７）を備え、前記凹部（１７）は、前記フラップ（１１）を前記凹部（１７）の単一の専用の位置または前記凹部（１７）の複数の専用の位置において回転可能にすることを特徴とする、請求項１乃至１１のいずれか１項に記載の装置（１）。
【請求項１３】
前記計量空間（Ｃ）から距離を置いて配置される旋回軸（１２）を用いて旋回可能に取り付けられる前記フラップ（１１）は、前記装置（１）が第１の状態にあるとき、および前記第１の区画（２）が前記第２の区画（２）の上にくるように前記装置（１）が直立位置で保持されたときに、前記フラップ（１１）は、前記凹部（１１）を面する側よりも前記計量空間（Ｃ）を面する前記旋回軸（１２）の側が重いことを特徴とする、請求項１２に記載の装置（１）。
【請求項１４】
前記凹部（１７）は、前記装置（１）が直立位置で保持されたとき、および前記第１の区画（２）が前記第２の区画（２）の上にくるようになされたときに、前記フラップ（１１）の上方に配置されることを特徴とする、請求項１２または１３に記載の装置（１）。
【請求項１５】
前記装置（１）がアイドリング状態にあるときに、ばねが、前記作動手段（１４）、前記スライダ（１０、１０ａ）および前記フラップ（１１）を、前記第１の状態または前記第３の状態に保持することを特徴とする、請求項１乃至１４のいずれか１項に記載の装置（１）。
【発明の詳細な説明】
【技術分野】
【０００１】
本発明は、第１の容器空間を有する第１の区画と、第２の容器空間を有する第２の区画と、第１の区画と第２の区画の間に設けられた計量部（ｄｏｓｉｎｇ  ｓｅｃｔｉｏｎ）とを備えた、保管、計量および調合用複合装置に関する。通常、第１の容器空間（上部）は乾燥粉末や小片のための空間であって、これらの乾燥粉末や小片は、一回分の量が計量されて第２の容器空間（下部）の液体と調合される。
【背景技術】
【０００２】
これに関連して、欧州公開特許第１２０５４０２Ａ２号は、上側と下側のスライダによって境界付けされた計量空間を備えた乳児用粉ミルクのための計量装置を開示している。
【０００３】
さらに、独国登録特許第１０２０１３１０８００７Ｂ３号は、二つのスライダまたは二つのフラップによって境界付けされた計量空間を備え得る乳児用粉ミルクのための別の計量装置を開示している。
【０００４】
スライダを有する従来技術の装置では、第２の容器空間と計量空間との間で漏れが生じやすい。下側スライダが完全に密閉されていない、開かれている、または意図せずに部分的に開かれている状態で装置が振とうされた場合、第２の容器空間から計量空間、さらには第１の容器空間に液体が流れる可能性がある。この際の湿度が、通常は乾燥状態で維持されなくてはならない第１の容器空間の内容物を傷める可能性がある。このような汚染状態が長い時間にわたって発見されなかった場合、健康を害する物質が発生する可能性がある。
【０００５】
スライダの代わりにフラップを有する従来技術の装置では、特に、第１の容器空間の内容物が凝集されて塊となっている場合に、該内容物の重量および上側フラップの上方向への移動に対抗して作用する抵抗力が問題となる。この場合、フラップが開かれることは困難であり、気早なユーザは装置に余計な力をかけて繊細な部品を破壊する可能性がある。上側フラップが下方向に回動して簡単に開かれるようになされていても、第１の区画の内容物が計量空間に入ったときにフラップは上方向に移動できない。たとえフラップを閉じることができたとしても、計量空間の中をフラップが移動するため、正確な計量は高い確率で損なわれる。
【発明の概要】
【発明が解決しようとする課題】
【０００６】
したがって、本発明の目的は、改善された保管、計量および調合用複合装置を提供することである。特に、装置を作動させるための大きな力を必要とせず、正確な計量が損なわれず、第２の容器空間の内容物が計量空間または第１の容器空間に進入してはならない。
【課題を解決するための手段】
【０００７】
本発明の問題は、冒頭段落で定義された保管、計量および調合用複合装置を用いて解決される。装置の計量部は、第１の区画に隣接する並進移動が可能なスライダと、第２の区画に隣接する旋回可能なフラップと、スライダとフラップの間に設けられた計量空間とを備えている。
【０００８】
上側スライダと下側フラップとの組み合わせによって複数の利点が得られる。第一に、第１の容器空間の内容物（例えば、粉末および／または小片（ｃｒｕｍｂｓ））が凝集されて塊となっている場合でも、スライダの動きが該内容物によって抑制されることはない。第二に、計量空間の内容物はフラップの下方向への移動に対抗することがないため、この移動が容易となり、フラップは簡単に開かれる。上側スライダおよび下側フラップによって正確な計量が損なわれることはない。さらに、このフラップ機構は、作動のために大きな力を必要としない。したがって、保管、計量および調合用複合装置の部品は破壊されるリスクを有することなく繊細に設計されてもよい。
【０００９】
下側の第２の容器空間における液体のフラップに対する飛散によって、フラップを閉じる方向に作用する力は増加され、加えてその密閉効果が高まるため、フラップ機構は装置が振とうされるときにも有用である。これによって、第１の容器空間の内容物は、いかなる状況下でも乾燥状態が維持される。
【００１０】
適切な大きさを有する第１の区画を設けることで複数の計量シーケンスを実施することができ、第２の区画の液体を入れ替えることで複数の一回量（ｓｅｒｖｉｎｇｓ）を調合することができる。これに関して、一回分以上の内容物が一回分の液体と調合されてもよいことに留意されたい。そのため、最終生成物は、高い正確性と繰り返し性をもって個人の好みに合わせて変更されることができる。
【００１１】
保管、計量および調合用複合装置は、一般的に、任意選択の調合作業に使用されてもよい。特に、乳児用粉ミルク、プロテインシェイクまたはミルクシェイクの調合、ならびにシリアル、インスタント飲料、インスタントコーヒー等の作製に有用である。したがって、第１の容器空間には、粉末、小片、またはその両方が充填され、第２の容器空間には、水、ミルク、または任意選択の液体（冷たいまたは温かい）が充填されてもよい。
【００１２】
さらなる有利な実施形態が特許請求の範囲、本明細書および図面において開示されている。
【００１３】
有利には、フラップは第２の区画の第２の容器空間のみに向かって開かれ、計量空間に進入しない。このように、正確な計量が損なわれず、フラップは、計量空間の内容物によって押し当てられることがないため、簡単に開かれる。
【００１４】
装置が、スライダとフラップとに機械的に結合された作動手段を備えることが有益である。これによって、スライダとフラップは、単一の動作（すなわち、単一の始動動作）によって移動されてもよい。この作業のために、スライダとフラップの移動を（機械的に）制御する任意選択の操作ブロックまたは制御ブロックが設けられてもよい。特に、操作ブロック／制御ブロックは並進移動される。しかしながら、操作ブロック／制御ブロックは回転移動されても、それらの組み合わせによって移動されてもよい。
【００１５】
有利には、作動手段は、第１の状態においてフラップが閉じている間にスライダを開くために、および第２の状態においてスライダが閉じている間にフラップを開くために組み込まれている。これによって、計量シーケンスが実施される。第１の状態では、第１の容器空間の内容物が計量空間に流れることができ、第２の状態では、計量空間の内容物が第２の容器空間に流れることができる。したがって、計量部では作動手段に対するロック作業が行われる。スライダとフラップの両方が開かれている時点は、（通常の状態での装置の用途を考慮して）存在しない。
【００１６】
さらなる別の有利な実施形態では、作動手段は、スライダおよびフラップが閉じた第３の状態を保持するために組み込まれている。これによって、意図せずに液体が第２の容器から第１の容器に流れるリスク、または意図せずに第１の容器の内容物が第２の容器に流れるリスクが減少する。特に、装置は、第１の状態から第２の状態に移行するとき、または第２の状態から第１の状態に移行するときに、第３の状態に到達する。
【００１７】
有益には、装置は、第１の状態または第３の状態において、作動手段の作動を防止および状態を保持するため、すなわち、フラップの閉じた状態を保持するためのロックを備えてもよい。ロックを有効にすることによって、装置が鞄に入れられて搬送されるとき等に作動手段は意図せずに作動されない。したがって、第１の容器空間の内容物はこの状況でも乾燥状態が維持される。
【００１８】
作動手段が、押ボタンまたは始動レバーを備えていることが有益である。これによって、作動手段は簡単に作動される。
【００１９】
有利な実施形態では、装置は、作動手段と機械的に結合された（または該手段の一部とされた）打撃レバーをさらに備えており、打撃レバーは、作動手段が始動されたときに突起部上または立ち上げ部上を移動し、突起部または立ち上げ部の上を通過しながら装置の壁部に打撃を与えて、解放される。このように、第１の容器空間の内容物は解され、凝集された塊が取り除かれる。そのため、計量作業は補助されて容易になる。装置は、一つ以上の突起部および／または一つ以上の立ち上げ部を有してもよい。突起部や立ち上げ部の代わりに、他の隆起部や窪みが適用されてもよい。
【００２０】
さらなる別の有利な実施形態における装置は、基本的には同じ理由により、スライダの一部とされた、またはスライダに接続されたスクラッチャを備えており、スクラッチャは、第１の容器空間内に突出している。スライダが移動されると、スクラッチャは移動されながら容器空間の内容物の底側を引っ掻く。このように、該内容物は解され、凝集された塊が取り除かれる。提案されたスクラッチャは、固化された吸湿性粉末を解すのに特に有用であり、上述した打撃レバーと組み合わされてもよい。
【００２１】
上記に関連して、スクラッチャが、第１の容器空間内に突出するスクラッチ位置と、スライダのベース本体の面状にあるアイドリング位置との間を移動（特に、回動）するようになされていることが非常に有利である。したがって、スクラッチャは、アイドリング位置において保管、計量および調合用複合装置の本体にある凹部内に簡単に移動されることができる。スライダのベース本体およびスクラッチャは、ヒンジを用いて互いと接続された別個の部品として組み込まれてもよく、または一体とされた部品であってもよい。さらに、スクラッチャは固定された突出部を有してもよい。
【００２２】
装置の特に有利な実施形態では、第１の区画が第２の区画の上にくるようになされたとき（且つ、作動手段が始動されたとき）には、フラップは、装置の直立位置でのみ開かれ、第１の区画が第２の区画の下にくるように装置が上下逆さまの位置になされたときには、フラップの閉じられた状態が保持される。したがって、作動手段が押下された状態で装置が上下逆さまの位置に保持された場合でも、第２の容器空間から計量空間、さらには第１の容器空間に液体が流れることができない。そのため、保管、計量および調合用複合装置は、非常にユーザフレンドリーであり、使い方を間違えることはほとんど不可能である。この理由によって、フラップは重力に依存する機構を備えてもよく、または重力に依存する機構がフラップに備え付けられてもよい。すなわち、重力の特定の範囲方向に装置が向けられた場合のみに、作動手段の始動と共にフラップは開かれる。
【００２３】
装置のさらなる別の有利な実施形態では、作動手段はフラップと協働する凹部を有し、フラップは、凹部の単一の専用の位置、または凹部の複数の専用の位置において回転可能に移動される。凹部は、フラップの回転運動を可能にするための、または（凹部がフラップの解放位置の範囲外にある場合）回転運動を抑制するための確実な手段である。凹部が回転運動を可能にするか抑制して、フラップに能動的に回転力を発生させない場合、すなわち、フラップが有利には自然に開き、ユーザがフラップを開くための力を装置に加える必要がない場合に、特に有利である。したがって、装置は弱い力でも始動できるため、計量機構の部品は繊細に設計されてもよい。
【００２４】
これに関して、フラップは計量空間から距離を置いて配置された旋回軸を用いて旋回可能に取り付けられことが有利であり、装置が第１の状態にあるとき、および第１の区画が第２の区画の上にくるように装置が直立位置で保持されたときに、フラップは、凹部を面する側よりも計量空間を面する旋回軸の側が重いことが有利である。したがって、フラップは装置の直立位置で自然に開く傾向にあり、その結果、フラップには重力によるある種の自動開放機能が提供されるが、装置が上下逆さまの位置になされたときには閉じる傾向もあるため、第２の容器空間から計量空間および第１の容器空間に液体が流れることは防止される。
【００２５】
装置が直立位置で保持されたとき、および第１の区画が第２の区画の上にくるようになされたときに、凹部がフラップより上方に配置されていることが有利である。それによって、凹部が閉位置にあるときに、凹部を面したフラップの一部の上方向への移動、すなわち、計量空間を面したフラップの一部の下方向への移動が抑制され、凹部が開位置にあるときにこの移動が可能となる。
【００２６】
最後に、装置がアイドリング状態にあるとき、すなわち、作動手段が始動されていないまたは動作していないときに、作動手段、スライダおよびフラップを第１の状態または第３の状態に保持するばねを備えることが有益である。この対策によって、フラップは閉じられた状態が保持され、作動手段が始動または動作していないときには、第１の容器空間の内容物の乾燥状態が維持される。すなわち、フラップが偶然開かれることはない。
【図面の簡単な説明】
【００２７】
本発明がより良く理解されるよう、本発明の実施形態を示す図面が以下に説明されている。図面は、模式的に以下を示している。
【図１】図１は、本発明に係る保管、計量および調合用複合装置の実施例の断面図であり、スライダが開かれ、フラップが閉じられた第１の状態にある保管、計量および調合用複合装置を示している。
【図２】図２は、図１の装置の断面図であり、スライダが閉じられ、フラップが開かれた第２の状態にある保管、計量および調合用複合装置を示している。
【図３】図３は、スクラッチャを有するスライダの詳細斜視図である。
【図４】図４は、図３のスライダの詳細断面図であり、スライダが開位置にある保管、計量および調合用複合装置の一部を示している。
【図５】図５は、図３のスライダの詳細断面図であり、スライダが閉位置にある保管、計量および調合用複合装置の一部を示している。
【発明を実施するための形態】
【００２８】
全体として、同一の部分または同様の部分は、同一／同様の名称および符号で示されている。本明細書に開示される特徴は、同一／同様の名称および符号が夫々示す部分に適用されている。方向および相対位置（上、下、横など）は、関連する図面に対応して示されており、示された方向および／または相対位置は、状況に応じて各図面において補正される必要がある。
【００２９】
図１は、第１の区画２と、第２の区画３と、第１の区画２と第２の区画３の間に設けられた計量部４とを備える、保管、計量および調合用複合装置１の一実施例を示している。第１の区画２は蓋６と螺合された第１の筒状体５を備えており、第２の区画３はカップ８と螺合された第２の筒状体７を備えている。計量部４は、第１の筒状体５および第２の筒状体７と螺合された第３の筒状体９を備えている。計量部４は、第１の区画２に隣接する並進移動が可能なスライダ１０と、第２の区画３に隣接する旋回可能なフラップ１１とをさらに備えている。フラップ１１は、第１の旋回軸１２を用いて第３の筒状体９に旋回可能に取り付けられている。
【００３０】
第１の筒状体５、蓋６、計量部４の第３の筒状体９の上側壁部、およびスライダ１０（閉位置）は、第１の容器空間Ａを画成している。第２の筒状体７、カップ８、計量部４の第３の筒状体９の下側壁部、およびフラップ１１（閉位置）は、第２の容器空間Ｂを画成している。計量部４の第３の筒状体９、スライダ１０、およびフラップ１１は、計量空間Ｂを画成している。すなわち、計量空間７は、スライダ１０とフラップ１１の間に配置されている。
【００３１】
図１に示される保管、計量および調合用複合装置１の具体的な構成は、本発明にとって必要な条件ではないことに留意されたい。反対に、第１の区画２、第２の区画３および計量部４は異なる形状を有してもよく、別の方法で組み合わされてもよい。
【００３２】
例えば、上側の第１の区画２は、別個のカバーを有さないボトル形状であってもよく、その下側壁部が第１の容器空間Ａを境界付けるようになされてもよい。蓋６は、図１に示されるようなフック１３を有しても有さなくてもよい。第１の筒状体５は、螺合とは異なる方法で蓋６および／または第３の筒状体９に取り付けられてもよい。例えば、これらの部品はスナップ式接続によって取り付けられてもよく、糊付けまたは溶接されてもよい。
【００３３】
基本的に同様のことが、類似したボトル形状を有し得る下側の第２の区画２にもいえる。この場合、カップ８は省略されてもよく、該ボトルの底部に取り付けられてもよい。ボトルは、その上側壁部が第２の容器空間Ｂを境界付けるようになされてもよい。第２の筒状体７は、螺合とは異なる方法でカップ８および／または第３の筒状体９に取り付けられてもよい。例えば、これらの部品はスナップ式接続によって取り付けられてもよく、糊付けまたは溶接されてもよい。
【００３４】
本発明にとってカップ８およびフック１３は必要な部品ではないが、有用である。フック１３を用いることで、装置１は吊り下げて保管されることができる。例えば、ベビーカーのフレームに取り付けられてもよい。カップ８を用いることで、第２の容器空間Ｂに収容された液体を快適に味わうことができる。
【００３５】
次に、計量部４のさらなる部品について説明する。上述した部品に加えて、計量部４は、第３の筒状体９に摺動自在に取り付けられ、図１が示す装置１の向きに対して水平方向に移動可能な操作ブロック１５を有する作動手段１４を備えている。図１に示される実施例では、作動手段１４は、操作ブロック１５に取り付けられた押ボタン１６をさらに備えている。しかしながら、押ボタン１６の代わりに始動レバーが設けられてもよい。
【００３６】
スライダ１０の動作を制御するために、操作ブロック１５はスライダ１０と接続または結合されており、それによって操作ブロック１５とスライダ１０は同期して移動する。フラップ１１の動作を制御するために、操作ブロック１５は、フラップ１１と協働して作用する凹部１７を有している。このように、作動手段１４は、スライダ１０とフラップ１１とに機械的に結合されている。
【００３７】
さらに、計量部４は、第２の旋回軸１９を用いて押ボタン１６に旋回可能に取り付けられた任意選択のロック１８を備えている。最後に、計量部４は、第３の筒状体９の上側壁部に設けられた任意選択の突起部２０と打撃レバー２１とを備え、本実施例では打撃レバー２１は操作ブロック１５の一部となっている。
【００３８】
次に、図１および図２を参照して、保管、計量および調合用複合装置１の動作を説明する。
【００３９】
図１は、スライダ１０が開かれ、フラップ１１が閉じられた第１の状態にある装置１を示している。図２は、スライダ１０が閉じられ、フラップ１１が開かれた第２の状態にある装置を示している。第１の状態から第２の状態への移行は次のようにして行われる。
【００４０】
作動手段１４が作動されて操作ブロック１５が左から右へと移動されると、スライダ１０は操作ブロック１５と同期して移動され、続けて第３の筒状体９の上側壁部にある上側開口部を閉じる。同時に、凹部１７は左から右へと移動され、ある地点でフラップ１１を解放し、重力によってフラップ１１は下方向に回動する。この間、第３の筒状体９の上側壁部における上側開口部はスライダ１０によって完全に閉じられる。このように、作動手段１４と操作ブロック１５が、スライダ１０とフラップ１１の移動を制御することによって、装置１は第１の状態または第２の状態となり、第１の容器空間Ａは上側開口部を介して計量空間Ｃに接続され、または第２の容器空間Ｂは下側開口部を介して計量空間Ｃに接続される。したがって、計量部３ではロック作業が行われる。
【００４１】
第１の状態および第２の状態とは別に、装置１は、操作ブロック１５が移動されたときにスライダ１０およびフラップ１１の両方が閉じられる第３の状態を経由する。第３の状態では、スライダ１０は既に上側開口部を閉じており、フラップ１１は未だ解放されておらず、下側開口部を閉じている。
【００４２】
任意選択のロック１８を用いることによって、作動手段１４、具体的には操作ブロック１５は、第１の状態において保持されることができる。このため、ロック１８は右方向に回動され、作動手段１４の移動を抑制することができる。代替的な実施形態では、任意選択のロック１８は、第３の状態において作動手段１４／操作ブロック１５を保持するようになされてもよい。
【００４３】
装置１は、アイドリング状態、すなわち、押ボタン１６が押下されていないときに、第１の状態または第３の状態において作動手段１４、スライダ１０およびフラップ１１を保持する任意選択のばね（図示せず）を備えてもよい。
【００４４】
上側スライダ１０と下側フラップ１１との組み合わせによって幾つかの利点が得られる。最初に、第１の容器空間Ａの内容物（例えば、粉末および／または小片）が凝集されて塊となっている場合でも、スライダ１０の動きは該内容物によって妨げられることはない。スライダ１０の代わりにフラップを有する従来技術の装置では、特に、第１の容器空間Ａの内容物が凝集されて塊となっている場合に、該内容物の重量および上側フラップの上方向への移動に対抗して作用する抵抗力が問題となる。この場合、フラップが開かれることは困難であり、気早なユーザは装置１に余計な力をかけて繊細な部品を破壊する可能性がある。基本的には、下方向に移動される上側フラップに対しても同様のことがいえる。フラップは空の計量空間Ｃ内へ下方向に回動可能であるが、第１の区画Ａの内容物が計量空間Ｃに入った場合に上方向に移動されることができない。たとえフラップを上方向に移動できたとしても、正確な計量は高い確率で損なわれる。
【００４５】
その一方で、計量部４の下側開口部を閉じるためにフラップ１１は有益である。図１に示される実施例では、フラップ１１は、第２の区画３の第２の容器空間Ｂのみに向かって開かれて計量空間Ｃに進入しない、すなわち、下方向に回動される。このように、正確な計量が損なわれることなく、フラップ１１は簡単に開かれる。本実施例では、フラップは、凹部１１を面する側よりも計量空間Ｃを面する第１の旋回軸１２の側が重く、フラップ１１は重力によって開かれるため、基本的にはユーザによる力を必要としない。
【００４６】
計量部４の設計はさらなる利点を提供している。本発明の機構によると、第１の区画２が第２の区画２の上にくるようになされた装置１の直立位置のときのみ、フラップ１１は開かれ、第１の区画１が第２の区画２の下にくるように装置１が上下逆さまの位置になされたときには、作動手段１４が始動された場合でも、閉じられた状態が保持される。
【００４７】
これらは、フラップ１１への重力による自動解放機能と、フラップ１１と凹部１７との特殊な協働とによって実現される。右側位置における凹部１７によってフラップは下方向に回動可能となるが、強制的に移動はされない。そのため、フラップ１１は、装置１の直立位置でのみ開かれ、装置１が上下逆さまの位置になされたときには閉じられた状態が保持される。このように、下側の第２の容器空間Ｂから計量空間Ｃ、さらには上側の第１の容器空間Ａに液体が流れることが防止され、通常は乾燥状態が維持されなくてはならない第１の容器空間Ａの内容物は傷められることがない。このような汚染状態がより長い時間にわたって発見されなかった場合、健康を害する物質が発生する可能性がある。
【００４８】
下側の第２の容器空間Ｂの液体が揺動してフラップ１１に当たることによって、フラップ１１を閉じる方向に作用する力は増加され、加えてその密閉効果が高まるため、フラップ機構は装置１が振とうされるときにも有用である。これによって、第１の容器空間Ａの内容物は、いかなる状況下でも乾燥状態が維持される。
【００４９】
別の有用な特徴は、作動手段１４と機械的に結合された、または作動手段１４の一部とされた任意選択の打撃レバー２１である。操作ブロック１５の移動によって、打撃レバー２１は、作動手段１４が始動されると突起部２０の上を移動し、突起部２１を通過しながら計量部１４の上側壁部に打撃を与えて、解放される。このように、上側の第１の容器空間Ａの内容物は解され、凝集された塊が取り除かれる。そのため、計量作業が容易になる。図示される実施例では、二つの突起部２１が設けられている。しかしながら、任意選択の他の複数の突起部２１が適用されてもよく、突起部２１の代わりに立ち上げ部または他の隆起部（または窪み）が適用されてもよい。
【００５０】
図３に示される装置１は、基本的には同じ理由により、スライダ１０ａの一部とされた、またはスライダに接続された、任意選択のスクラッチャ２２を備えてもよく、スクラッチャ２２は、第１の容器空間Ａに突出している。スライダ１０ａが移動されると、スクラッチャ２２が移動されて第１の容器空間Ａの内容物の底側を引っ掻く。このように、該内容物は解され、凝集された塊が取り除かれる。熊手のような形状を有するスクラッチャ２２は、固化された吸湿性粉末を解すのに特に有用である。
【００５１】
図３には、開口部２４を有するスライダ１０ａのベース本体２３と、ベース本体２３に固定接続されたスクラッチャ２２とが具体的に示されている。さらに、図４の詳細断面図には、開位置における第３の筒状体９のスライダ１０ａが示されており、図５の詳細断面図には、閉位置における第３の筒状体９のスライダ１０ａが示されている。
【００５２】
図３に示されるスクラッチャ２２は、第１の容器空間Ａに突出するスクラッチ位置と、スライダ１０ａのベース本体２３の面上にあるアイドリング位置との間で移動、特に、回動するようになされている。スライダ１０ａの（図１および図４に示すような）開位置に対応する図３には、第１の容器空間Ａ内へ上方向に回動されたスクラッチャ２２が示されている。スライダ１０ａの（図２および図５に示すような）閉位置において、スクラッチャ２２は、ベース本体２３の面上にあるアイドリング位置に回動される。
【００５３】
図３に示される実施形態が有利である一方で、他の実施形態も可能である。例えば、スクラッチャは第１の容器空間Ａおよび第３の筒状体９にある溝内を移動するようになされてもよい。突出部の形状は、図３に示されるものと異なってもよい。例えばスクラッチャ２２は、三角形状の歯を有してもよい。
【００５４】
図３では、スクラッチャ２２とベース本体２３との接続部は、ヒンジおよびばねとして同時に機能しており、これによって、スクラッチャ２２は上方向に移動される。これは有利な実施形態ではあるが、別個のヒンジおよび別個のばねが設けられてもよい。
【００５５】
全体的に、保管、計量および調合用複合装置１は非常にユーザフレンドリーであり、使い方を間違えることはほとんど不可能である。意図する直立位置でのみ使用されてもよく、ロック１８を有効にすることで、装置１が鞄に入れられて搬送されるとき等に、意図せずに作動されない。さらに、打撃機構によって計量作業は補助される。
【００５６】
適切な大きさを有する第１の区画２を設けることで複数の計量シーケンスを実施することができ、第２の区画３の液体を入れ替えることで複数の一回量を調合することができる。これに関して、一回分以上の内容物が一回分の液体と調合されてもよいことに留意されたい。そのため、最終生成物は、高い正確性と繰り返し性をもって個人の好みに合わせて変更されることができる。
【００５７】
保管、計量および調合用複合装置１は、一般的に、任意選択の調合作業に使用されてもよい。特に、乳児用粉ミルク、プロテインシェイクまたはミルクシェイクの調合、ならびにシリアルの作製等に有用である。したがって、第１の容器空間Ａには、粉末、小片、またはその両方が充填され、第２の容器空間Ｂには水、ミルク、または任意選択の液体（冷たいまたは温かい）が充填されてもよい。第１の容器空間Ａにハーブを充填し、第２の容器空間Ｂに酢と油を充填することでビネグレットソースの作製も可能となる。さらに、ペンキ、糊、パテ等の調合のような技術的応用も想定できる。
【００５８】
本発明は上述した実施形態に制限されず、異なる変形例の組み合わせが可能である。実際に、保管、計量および調合用複合装置１は、図示されるよりも多くの或いは少ない部品を有してもよい。保管、計量および調合用複合装置１およびその部品は異なるスケールで示されてもよく、図示されるよりも拡大されても縮小されてもよい。最後に、本発明には、さらなる独立した発明の技術的内容が含まれてもよい。
【符号の説明】
【００５９】
１：    保管、計量および調合用複合装置
２：    第１の区画
３：    第２の区画
４：    計量部
５：    第１の筒状体
６：    蓋
７：    第２の筒状体
８：    カップ
９：    第３の筒状体
１０、１０ａ：  スライダ
１１：  フラップ
１２：  第１の旋回軸
１３：  フック
１４：  作動手段
１５：  操作ブロック
１６：  押ボタン
１７：  凹部
１８：  ロック
１９：  第２の旋回軸
２０：  突起部
２１：  打撃レバー
２２：  スクラッチャ
２３：  ベース本体
２４：  開口部
Ａ：    第１の容器空間
Ｂ：    第２の容器空間
Ｃ：    計量空間
【図１】
2018135137.tif 000003
【図２】
2018135137.tif 000004
【図３】
2018135137.tif 000005
【図４】
2018135137.tif 000006
【図５】
2018135137.tif 000007
【手続補正書】
【提出日】平成29年6月13日(2017.6.13)
【手続補正１】
【補正対象書類名】明細書
【補正対象項目名】００３０
【補正方法】変更
【補正の内容】
【００３０】
第１の筒状体５、蓋６、計量部４の第３の筒状体９の上側壁部、およびスライダ１０（閉位置）は、第１の容器空間Ａを画成している。第２の筒状体７、カップ８、計量部４の第３の筒状体９の下側壁部、およびフラップ１１（閉位置）は、第２の容器空間Ｂを画成している。計量部４の第３の筒状体９、スライダ１０、およびフラップ１１は、計量空間Ｃを画成している。すなわち、計量空間Ｃは、スライダ１０とフラップ１１の間に配置されている。
【手続補正２】
【補正対象書類名】明細書
【補正対象項目名】００３３
【補正方法】変更
【補正の内容】
【００３３】
基本的に同様のことが、類似したボトル形状を有し得る下側の第２の区画３にもいえる。この場合、カップ８は省略されてもよく、該ボトルの底部に取り付けられてもよい。ボトルは、その上側壁部が第２の容器空間Ｂを境界付けるようになされてもよい。第２の筒状体７は、螺合とは異なる方法でカップ８および／または第３の筒状体９に取り付けられてもよい。例えば、これらの部品はスナップ式接続によって取り付けられてもよく、糊付けまたは溶接されてもよい。
【手続補正３】
【補正対象書類名】明細書
【補正対象項目名】００４０
【補正方法】変更
【補正の内容】
【００４０】
作動手段１４が作動されて操作ブロック１５が左から右へと移動されると、スライダ１０は操作ブロック１５と同期して移動され、続けて第３の筒状体９の上側壁部にある上側開口部を閉じる。同時に、凹部１７は左から右へと移動され、ある地点でフラップ１１を解放し、重力によってフラップ１１は下方向に回動する。この間、第３の筒状体９の上側壁部における上側開口部はスライダ１０によって完全に閉じられる。このように、作動手段１４と操作ブロック１５が、スライダ１０とフラップ１１の移動を制御することによって、装置１は第１の状態または第２の状態となり、第１の容器空間Ａは上側開口部を介して計量空間Ｃに接続され、または第２の容器空間Ｂは下側開口部を介して計量空間Ｃに接続される。したがって、計量部４ではロック作業が行われる。
【手続補正４】
【補正対象書類名】明細書
【補正対象項目名】００４５
【補正方法】変更
【補正の内容】
【００４５】
その一方で、計量部４の下側開口部を閉じるためにフラップ１１は有益である。図１に示される実施例では、フラップ１１は、第２の区画３の第２の容器空間Ｂのみに向かって開かれて計量空間Ｃに進入しない、すなわち、下方向に回動される。このように、正確な計量が損なわれることなく、フラップ１１は簡単に開かれる。本実施例では、フラップは、凹部１７を面する側よりも計量空間Ｃを面する第１の旋回軸１２の側が重く、フラップ１１は重力によって開かれるため、基本的にはユーザによる力を必要としない。
【手続補正５】
【補正対象書類名】明細書
【補正対象項目名】００４６
【補正方法】変更
【補正の内容】
【００４６】
計量部４の設計はさらなる利点を提供している。本発明の機構によると、第１の区画２が第２の区画３の上にくるようになされた装置１の直立位置のときのみ、フラップ１１は開かれ、第１の区画２が第２の区画３の下にくるように装置１が上下逆さまの位置になされたときには、作動手段１４が始動された場合でも、閉じられた状態が保持される。
【手続補正６】
【補正対象書類名】明細書
【補正対象項目名】００４９
【補正方法】変更
【補正の内容】
【００４９】
別の有用な特徴は、作動手段１４と機械的に結合された、または作動手段１４の一部とされた任意選択の打撃レバー２１である。操作ブロック１５の移動によって、打撃レバー２１は、作動手段１４が始動されると突起部２０の上を移動し、突起部２０を通過しながら計量部４の上側壁部に打撃を与えて、解放される。このように、上側の第１の容器空間Ａの内容物は解され、凝集された塊が取り除かれる。そのため、計量作業が容易になる。図示される実施例では、二つの突起部２０が設けられている。しかしながら、任意選択の他の複数の突起部２０が適用されてもよく、突起部２０の代わりに立ち上げ部または他の隆起部（または窪み）が適用されてもよい。
【手続補正７】
【補正対象書類名】特許請求の範囲
【補正対象項目名】請求項１１
【補正方法】変更
【補正の内容】
【請求項１１】
前記フラップ（１１）は、前記第１の区画（２）が前記第２の区画（３）の上にくるようになされた前記装置（１）の直立位置のときのみ開かれ、前記第１の区画（２）が前記第２の区画（３）の下にくるように前記装置（１）が上下逆さまの位置になされたときには、前記作動手段（１４）が始動された場合であっても、閉じられた状態が保持されることを特徴とする、請求項１乃至１０のいずれか１項に記載の装置（１）。
【手続補正８】
【補正対象書類名】特許請求の範囲
【補正対象項目名】請求項１３
【補正方法】変更
【補正の内容】
【請求項１３】
前記計量空間（Ｃ）から距離を置いて配置される旋回軸（１２）を用いて旋回可能に取り付けられる前記フラップ（１１）は、前記装置（１）が第１の状態にあるとき、および前記第１の区画（２）が前記第２の区画（３）の上にくるように前記装置（１）が直立位置で保持されたときに、前記凹部（１７）を面する側よりも前記計量空間（Ｃ）を面する前記旋回軸（１２）の側が重いことを特徴とする、請求項１２に記載の装置（１）。
【手続補正９】
【補正対象書類名】特許請求の範囲
【補正対象項目名】請求項１４
【補正方法】変更
【補正の内容】
【請求項１４】
前記凹部（１７）は、前記装置（１）が直立位置で保持されたとき、および前記第１の区画（２）が前記第２の区画（３）の上にくるようになされたときに、前記フラップ（１１）の上方に配置されることを特徴とする、請求項１２または１３に記載の装置（１）。
【外国語明細書】
2018135137.tif 000008
2018135137.tif 000009
2018135137.tif 000010
2018135137.tif 000011
2018135137.tif 000012
2018135137.tif 000013
2018135137.tif 000014
2018135137.tif 000015
2018135137.tif 000016
2018135137.tif 000017
2018135137.tif 000018
2018135137.tif 000019
2018135137.tif 000020
2018135137.tif 000021
2018135137.tif 000022
2018135137.tif 000023
2018135137.tif 000024
【図１】
2018135137.tif 000025
【図２】
2018135137.tif 000026
【図３】
2018135137.tif 000027
【図４】
2018135137.tif 000028
【図５】
2018135137.tif 000029